(57)【特許請求の範囲】
【請求項１】
上部が開放された箱形のコンロ本体の上縁に沿って外曲げフランジを形成し、コンロ本体をカウンタトップに開設した開口部に落とし込んだ状態で、外曲げフランジを前記開口部の縁部に掛止して、コンロ本体をカウンタトップに支持させると共に、コンロ本体を外曲げフランジにわたって上方から覆う天板を設けて成るドロップイン式コンロにおいて、
前記コンロ本体の前壁に備える保持部に、上下方向の所定範囲にわたって摺動自在に保持された基部と、該基部の上端に一体に連設されて該基部の一側方に延出する爪部とからなる爪部材を設け、
天板の前部の裏側に、前記爪部を収容自在の収容部と、該収容部に前記爪部の延出方向の先端側から差し込んだときに該爪部の下側に当接して該爪部を係止する係止部とからなる係止部材を設け、
前記爪部材の基部をその摺動範囲の上端に摺動させ、前記爪部が外曲げフランジよりも上方の所定位置となったとき、基部の摺動を解除自在に停止させる停止手段を設け、
該停止手段により外曲げフランジより上方の所定位置に維持された爪部を、前記係止部材の係止部に係止させ、次いで、前記停止手段による停止状態を解除して前記爪部材の基部をその摺動範囲の下端に摺動させることにより天板をカウンタトップ上に着座させた後に、コンロ本体の前壁に前記基部を摺動不能に固定する固定手段を設けたことを特徴とするドロップイン式コンロ。
【請求項２】
前記コンロ本体の前壁と前記爪部材の基部とに、前記固定手段による前記基部の固定位置で互いに合致する位置合わせ用穴を設けたことを特徴とする請求項１記載のドロップイン式コンロ。
【請求項３】
前記爪部に、前記係止部材の収容部に収容可能であって前記基部がその摺動範囲の下端にあるとき前記外曲げフランジより上方に突出する突出部を設けたことを特徴とする請求項１又は２記載のドロップイン式コンロ。
【発明の詳細な説明】
【技術分野】
【０００１】
本発明は、コンロ本体をカウンタトップに開設した開口部に落とし込むようにして配置するドロップイン式コンロに関する。
【背景技術】
【０００２】
ドロップイン式コンロは、上部が開放された箱形のコンロ本体の上縁に沿って外曲げフランジを形成し、コンロ本体をカウンタトップに開設した開口部に落とし込んだ状態で、外曲げフランジを開口部の縁部に掛止して、コンロ本体をカウンタトップに支持させると共に、コンロ本体を外曲げフランジにわたって上方から天板で覆うように構成されている。そして、天板は、コンロ本体がカウンタトップに支持させた後に、コンロ本体に連結される。
【０００３】
ここで、従来のドロップイン式コンロでは、特許文献１に見られるように、天板の前部に取付けた固定板を、コンロ本体の前壁に設けられている挿入筒部に挿入し、固定板を挿入筒部の内部でねじ止めすることによりコンロ本体と天板とが連結される。固定板は、天板の裏側にねじ止め等により取付けられる板状の部材で、天板の下方に大きく延びる形状を有している。そして、固定板と挿入筒部とには、天板がカウンタトップ上に着座した状態で互いに合致するねじ穴が設けられ、このねじ穴にねじを螺入することで、天板がカウンタトップ上に着座した状態で天板とコンロ本体とを強固に連結するようになっている。
【特許文献１】特開２００４−４４９３６号公報（第１図、第６図）
【発明の開示】
【発明が解決しようとする課題】
【０００４】
しかし、天板の裏側に固定板をねじ止め等により取付けるものでは、コンロ本体の上部に天板を組み付けるに先立って、固定板の取付け作業を行わなければならず、その作業が煩わしい。更に、作業者による固定板の取付け忘れが生じることも考えられ、コンロ本体と天板との連結が不十分な状態となるおそれがある。また、天板に取付けられた固定板をコンロ本体の前壁の挿入筒部に挿入する際に、挿入筒部からの位置ズレにより固定板が他部に接触することが考えられ、このとき固定板が変形すると挿入筒部への挿入が円滑に行なえなくなるおそれがある。更に、コンロ本体への天板の組み付け作業時における固定板の取付作業を廃するために、予め天板に固定板を取付けた状態にしておくと、天板の裏側から固定板が著しく張り出した状態で天板の梱包や輸送を行なわなければならず、固定板が邪魔になるだけでなく、固定板が他部に接触して変形するおそれもある。
【０００５】
本発明は、以上の点に鑑み、コンロ本体への天板の組み付けを容易として天板とコンロ本体とを強固に連結することができ、上記従来のものにおける不具合を解消したドロップイン式コンロを提供することをその課題としている。
【課題を解決するための手段】
【０００６】
上記課題を解決するために、本発明は、上部が開放された箱形のコンロ本体の上縁に沿って外曲げフランジを形成し、コンロ本体をカウンタトップに開設した開口部に落とし込んだ状態で、外曲げフランジを前記開口部の縁部に掛止して、コンロ本体をカウンタトップに支持させると共に、コンロ本体を外曲げフランジにわたって上方から覆う天板を設けて成るドロップイン式コンロにおいて、前記コンロ本体の前壁に備える保持部に、上下方向の所定範囲にわたって摺動自在に保持された基部と、該基部の上端に一体に連設されて該基部の一側方に延出する爪部とからなる爪部材を設け、天板の前部の裏側に、前記爪部を収容自在の収容部と、該収容部に前記爪部の延出方向の先端側から差し込んだときに該爪部の下側に当接して該爪部を係止する係止部とからなる係止部材を設け、前記爪部材の基部をその摺動範囲の上端に摺動させ、前記爪部が外曲げフランジよりも上方の所定位置となったとき、基部の摺動を解除自在に停止させる停止手段を設け、該停止手段により外曲げフランジより上方の所定位置に維持された爪部を、前記係止部材の係止部に係止させ、次いで、前記停止手段による停止状態を解除して前記爪部材の基部をその摺動範囲の下端に摺動させることにより天板をカウンタトップ上に着座させた後に、コンロ本体の前壁に前記基部を摺動不能に固定する固定手段を設けたことを特徴とする。
【０００７】
本発明のドロップイン式コンロにおいては、先ず、爪部材の爪部を外曲げフランジより上方の所定位置に引き上げる。この引き上げ時には、爪部材の基部がコンロ本体の前壁に備える保持部に沿って上方に摺動し、基部がその摺動範囲の上端まで摺動すると、前記停止手段により基部の摺動が停止され、爪部材の爪部が外曲げフランジより上方の所定位置に維持される。
【０００８】
次いで、爪部材の爪部を、天板に設けられた係止部材の係止部に係止させる。このときには、爪部をその延出方向の先端側から係止部材の収容部に差し込むことで、同時に、係止部が爪部の下側に当接して係止する。この際、爪部材の爪部が外曲げフランジより上方の所定位置に維持されるので、作業が極めて容易となる。
【０００９】
続いて、天板を下降させてカウンタトップ上に着座させる。このとき、係止部材に爪部が係止した状態の爪部材は天板の下降により押し下げられる。即ち、天板を下降させると停止手段の停止が解除して爪部材の基部がその摺動範囲の下端に摺動する。これにより、係止部材に爪部が係止した状態で天板がカウンタトップ上に着座する。そして、前記固定手段により爪部材の基部をその摺動範囲の下端でコンロ本体に固定することで、爪部材と係止部材とを介してコンロ本体と天板とが連結される。
【００１０】
このように、本発明によれば、コンロ本体と天板との連結時に、両者を連結するための部材を取付ける作業が不要となり、コンロ本体への天板の組み付けを容易とすることができる。しかも、前記爪部材がコンロ本体の保持部に摺動自在に保持され、天板には、係止部材の係止部が、爪部材の爪部にその下側から当接するように設けられていることにより、係止部は天板の下方ではなく横方に延設すればよいので、天板の下方に延出する邪魔な部分を極めて少なく構成することができる。
【００１１】
また、本発明においては、前記コンロ本体の前壁と前記爪部材の基部とに、前記固定手段による前記基部の固定位置で互いに合致する位置合わせ用穴を設けておくことが好ましい。これにより、天板をカウンタトップ上に着座させたときに、コンロ本体の前壁の位置合わせ用穴と前記爪部材の基部の位置合わせ用穴との位置ズレを容易に目視により確認することができる。更に、両位置合わせ用穴に位置ズレが生じていた場合には、例えば棒状の工具等を両位置合わせ用穴に挿入して両位置合わせ用穴を合致させることで、爪部材の基部を容易に固定位置に位置決めすることができ固定手段による確実な固定状態を容易に得ることができる。
【００１２】
また、本発明においては、前記爪部に、前記係止部材の収容部に収容可能であって前記基部がその摺動範囲の下端にあるとき前記外曲げフランジより上方に突出する突出部を設けておくことが好ましい。これにより、例えば、爪部材の爪部が係止部材の係止部に係止されていない状態で、天板をカウンタトップ上に着座させようとしても、爪部の突出部の上面に係止部材の係止部の下面が干渉し、天板とカウンタトップとの間に隙間が生じる。これによって、作業者は、爪部が天板の係止部材の収容部に収容されていないことを確認できるので、爪部材に対して係止部材を係止させる作業の忘れを確実に防止することができる。なお、突出部は係止部材の収容部に収容可能であるので、爪部材に対して係止部材が係止されているときには、天板とカウンタトップとの間に隙間が生じることはなく、天板をカウンタトップ上に着座させることができる。
【発明を実施するための最良の形態】
【００１３】
本発明の一実施形態を図面に基づいて説明する。図１は本実施形態のドロップイン式コンロの要部の概略構成を示す断面説明図、図２は図１の一部の拡大説明図、図３は爪部材の形状を示す斜視図、図４は爪部材の取付け状態を示す説明図、図５は係止部材の形状を示す斜視図、図６はコンロ本体と天板との連結作業を示す説明図、図７はコンロ本体と天板との非連結状態を示す断面説明図、図８は爪部材の位置合わせ用穴の作用を示す説明図である。
【００１４】
図１に示すように、本実施形態のドロップイン式コンロ１は、上部が開放された箱形のコンロ本体２がシステムキッチンのカウンタトップＡに支持され、コンロ本体２の上部を覆うようにして天板３が設けられている。
【００１５】
コンロ本体２の上縁には外曲げフランジ４が形成されており、コンロ本体２をカウンタトップＡに開設した開口部Ｂに落とし込んだ状態で、外曲げフランジ４を開口部Ｂの縁部に掛止して、コンロ本体２をカウンタトップＡに支持させている。天板３は、コンロ本体２を外曲げフランジ４にわたって上方から覆うように設けられる。外曲げフランジ４の周縁部にはパッキン５が装着されており、外曲げフランジ４をパッキン５を介してカウンタトップＡに着座させている。天板３には、図示しないが、コンロ本体２の内部に配置されたバーナを臨ませるためのバーナ用開口が開設されている。
【００１６】
天板３は、矩形状に形成されたガラス製の面板６と、面板６の周縁に沿って取付けられたアルミニウム製の枠体７とによって構成されている。枠体７は、面板６の前縁に沿う前枠片８と、面板６の後縁に沿う後枠片９と、面板６の両側に沿う左右一対の図示しない側枠片とによって構成されている。
【００１７】
コンロ本体２と天板３とは、図２に示すように、コンロ本体２の前壁１０に設けられた爪部材１１と、天板３の前枠片８に設けられた係止部材１２とによって連結されている。爪部材１１は、図３に示すように、金属製の板材を折り曲げることにより形成され、基部１３と、基部１３の上端に設けられた爪部１４とによって構成されている。
【００１８】
爪部材１１の基部１３は、図４に示すように、コンロ本体２の前壁１０に形成された保持部１５に差し込まれた状態で保持され、コンロ本体２の前壁１０に沿って上下方向に摺動自在とされている。また、基部１３には、凸部１６が形成され、基部１３が摺動範囲の上端に位置したとき、コンロ本体２の前壁１０に形成された係合穴１７に係合して基部１３を摺動範囲の上端位置に停止させる。なお、凸部１６と係合穴１７との係合は、基部１３やコンロ本体２の前壁１０の撓みによって容易に解除させることができるようになっており、凸部１６と係合穴１７とによって本発明の停止手段を構成している。更に、基部１３が摺動範囲の下端に位置したときには、図２に示すように、コンロ本体２の前壁１０の保持部１５に備える規制部１８に爪部１４の基端部が規制される。そしてこの位置においては、図４に示すように、コンロ本体２の前壁１０に形成されたねじ穴１９と、基部１３に形成されたねじ用貫通孔２０とが合致し、ねじ部材２１（図２参照）を螺着することによって基部１３が摺動不能に固定される。即ち、本実施形態においては、コンロ本体２の前壁１０のねじ穴１９と、基部１３のねじ用貫通孔２０と、ねじ部材２１とによって本発明の固定手段が構成されている。
【００１９】
更に、図３に示すように、基部１３には、ねじ用貫通孔２０の両側に一対の位置合わせ用穴２２が形成され、コンロ本体２の前壁１０には、ねじ穴１９の両側に一対の位置合わせ用穴２３が形成されている。基部１３の位置合わせ用穴２２とコンロ本体２の前壁１０の位置合わせ用穴２３とは、基部１３が摺動範囲の下端に位置したときに（即ち、コンロ本体２の前壁１０のねじ穴１９と基部１３のねじ用貫通孔２０とが合致したときに）、互いに合致するように設けられている。
【００２０】
爪部材１１の爪部１４は、基部１３の上端に一体に連設されて基部１３の一側方（コンロ本体２の内側方向）に延出されている。更に詳しくは、爪部１４はその基端部が基部１３の上端から折り曲げられ、図３に示すように、当該基端部から上方に傾斜する傾斜部２４と、傾斜部２４の上縁から水平方向に折り曲げられた平面部２５と、平面部２５の先端から下方に折り曲げられた垂下縁部２６とによって構成されている。そして、図２に示すように、爪部１４においては、基部１３が摺動範囲の下端に位置したとき、傾斜部２４と垂下縁部２６とによって平面部２５が外曲げフランジ４より上方に突出する突出部２７が構成されている。
【００２１】
係止部材１２は、図２に示すように、天板３の前枠片８（前部）の裏側に固設されており、爪部材１１の爪部１４を収容する収容部２８と、爪部材１１の爪部１４の下側（前記垂下縁部２６の下縁）に当接する係止部２９とを備えている。更に詳しくは、係止部材１２は、図５に示すように、金属製の板材を折り曲げることにより形成され、外曲げフランジ４の上面に当接する当接面部３０の一端縁に段差部３１を介して連設された天面部３２と、天面部３２の先端から下方に折り曲げられた垂下壁部３３と、垂下壁部３３の下縁から段差部３１の方向に折り返された前記係止部２９とを備えている。即ち、係止部材１２においては、段差部３１と天面部３２と垂下壁部３３とによって形成される空間により前記収容部２８が構成されており、収容部２８には、係止部２９と天面部３２との間に爪部１４の延出方向の先端側（爪部１４の垂下縁部２６側）から差し込み可能とされる。このとき、収容部２８への爪部１４の差し込みを円滑に行なうために、係止部２９の端縁に沿って、爪部１４を収容部２８へ案内する案内傾斜縁３４が形成されている。また、係止部材１２には、図５に示すように、天面部３２にねじ用貫通穴３５が形成されており、図２に示す天板３の前枠片８の支持板８ａにねじ止めされる。そして、係止部材１２が上記の形状であることにより、天板３の前枠片８の下方への張り出しが極めて小さい状態で取り付けられ、他部への接触による係止部材１２の損傷や変形が確実に防止される。
【００２２】
次に、コンロ本体２と天板３との連結作業について説明する。先ず、コンロ本体２をカウンタトップＡの開口部Ｂに落とし込んで支持させた後、図６（ａ）に示すように、爪部材１１の基部１３をその摺動範囲の上端に摺動させ、爪部１４を外曲げフランジ４よりも上方の所定位置（後述のように係止部材１２との係止が可能となる高さ位置）に引き上げておく。このとき、図４に仮想線で示すように、爪部材１１の基部１３の凸部１６がコンロ本体２の前壁１０の係合穴１７に係合して、爪部１４が所定位置に保持される。
【００２３】
次いで、図６（ｂ）に示すように、天板３の係止部材１２の収容部２８に爪部材１１の爪部１４を差し込む。これにより、爪部材１１の爪部１４の下側（図２に示す垂下縁部２６の下縁）に係止部２９が当接して爪部材１１と係止部材１２とが連結状態となる。この状態で、天板３を下降させると、図６（ｃ）に示すように、爪部材１１の基部１３の凸部１６とコンロ本体２の前壁１０の係合穴１７との係合が解除され、爪部材１１の基部１３がその摺動範囲の下端に摺動する。これにより、爪部材１１と係止部材１２との連結状態が維持されて天板３がカウンタトップＡ上に着座する。その後、基部１３のねじ用貫通孔２０に合致するコンロ本体２の前壁１０のねじ穴１９にねじ部材２１を螺着し、基部１３を摺動不能に固定する。これにより、コンロ本体２と天板３とが爪部材１１と係止部材１２とを介して確実に連結された状態となる。
【００２４】
ここで、例えば、図６（ａ）に示す状態から、天板３の係止部材１２の収容部２８に爪部材１１の爪部１４を差し込むことなく天板３をカウンタトップＡ上に着座させようとすると、図７に示すように、係止部材１２の係止部２９の下面が、爪部材１１の突出部２７を構成している爪部１４の平面部２５上に当接する。これにより、天板３とカウンタトップＡとの間に空隙が形成されるので、爪部材１１と係止部材１２とが連結されていない状態であることを作業者が容易に確認でき、爪部材１１と係止部材１２との連結作業の忘れを確実に防止することができる。
【００２５】
また、図６（ｃ）に示す状態において、爪部材１１の基部１３がその摺動範囲の下端に至らなかった場合には、基部１３のねじ用貫通孔２０とコンロ本体２の前壁１０のねじ穴１９とに位置ズレが生じて、ねじ部材２１の螺着が円滑に行なえないことが考えられるが、図８（ａ）に示すように、基部１３の位置合わせ用穴２２とコンロ本体２の前壁１０の位置合わせ用穴２３との位置ズレを確認することにより、基部１３のねじ用貫通孔２０とコンロ本体２の前壁１０のねじ穴１９との位置ズレが確認できる。更に、図８（ａ）に示すように、基部１３の位置合わせ用穴２２とコンロ本体２の前壁１０の位置合わせ用穴２３とに、例えばマイナスドライバー等の工具Ｃを挿入して回転させれば、図８（ｂ）に示すように、両位置合わせ用穴２２，２３を合致させることができ、これによって、基部１３の位置合わせ用穴２２とコンロ本体２の前壁１０の位置合わせ用穴２３との位置ズレを解消して、ねじ部材２１の螺着を円滑に行なうことができ、コンロ本体２の前壁１０に爪部材１１の基部１３を確実に摺動不能に固定することができる。
【図面の簡単な説明】
【００２６】
【図１】本発明の一実施形態のドロップイン式コンロの要部の概略構成を示す断面説明図。
【図２】図１の一部の拡大説明図。
【図３】爪部材の形状を示す斜視図。
【図４】爪部材の取付け状態を示す説明図。
【図５】係止部材の形状を示す斜視図。
【図６】コンロ本体と天板との連結作業を示す説明図。
【図７】コンロ本体と天板との非連結状態を示す断面説明図。
【図８】爪部材の位置合わせ用穴の作用を示す説明図。
【符号の説明】
【００２７】
Ａ…カウンタトップ、Ｂ…開口部、１…ドロップイン式コンロ、２…コンロ本体、３…天板、４…外曲げフランジ、８…前枠片（前部）、１０…前壁、１１…爪部材、１２…係止部材、１３…基部、１４…爪部、１５…保持部、１６…凸部（停止手段）、２１…ねじ部材（固定手段）、２２，２３…位置合わせ用穴、２７…突出部、２８…収容部、２９…係止部。
【図１】
0004822218.tif 000002
【図２】
0004822218.tif 000003
【図３】
0004822218.tif 000004
【図４】
0004822218.tif 000005
【図５】
0004822218.tif 000006
【図６】
0004822218.tif 000007
【図７】
0004822218.tif 000008
【図８】
0004822218.tif 000009